(57)【要約】【課題】曲名やアーティスト名などの楽曲情報が判らない場合でも、音楽コンテンツに関連する他の情報を用いて所望の音楽コンテンツを容易に高い精度で検索可能にする。【解決手段】音楽配信サーバ２は、音楽コンテンツに関連付けされた音楽コンテンツの検索用情報として、当該音楽コンテンツの歌詞キーワード情報、当該音楽コンテンツの曲が発売された発売年度または流行した流行年度、当該音楽コンテンツの曲が使用されたテレビコマーシャルの商品名や会社名、または当該音楽コンテンツの曲が使用されたドラマなどのテレビ番組名などを、音楽コンテンツの曲データとともに音楽コンテンツデータベース１３に格納する。携帯端末１より検索用情報に対応する検索キーワードが入力されると、コンテンツ検索処理部１１は、検索キーワードに基づいて検索処理を行い、目的の音楽コンテンツを抽出する。【選択図】　図１
2004138972.tif 000002
【特許請求の範囲】
【請求項１】
音楽配信サーバと、前記音楽配信サーバと通信回線を介して接続される端末装置とを有し、前記端末装置に音楽コンテンツの配信を行う音楽配信システムであって、
前記音楽配信サーバは、
前記音楽コンテンツと、この音楽コンテンツの曲名、アーティスト名、及び音楽コンテンツにおける代表的な歌詞を抽出した歌詞キーワード情報を含む音楽コンテンツの検索用情報とを格納する音楽コンテンツデータベースと、
前記検索用情報に基づいて該当する音楽コンテンツの検索処理を行うコンテンツ検索処理部とを有し、
前記端末装置は、
前記検索用情報を入力するための表示部と操作部とを含んでなる検索用情報入力手段を有して構成されることを特徴とする音楽配信システム。
【請求項２】
前記音楽配信サーバは、前記歌詞キーワード情報に加えて、当該音楽コンテンツが発売された発売年度、音楽コンテンツが流行した流行年度、音楽コンテンツが使用されたメディア採用情報のうちの少なくとも一つを含む検索用情報を音楽コンテンツデータベースに格納し、前記コンテンツ検索処理部において前記検索用情報の少なくともいずれか一つに基づいて該当する音楽コンテンツを抽出することを特徴とする請求項１に記載の音楽配信システム。
【請求項３】
通信回線を介して接続される端末装置に音楽コンテンツの配信を行う音楽配信システムにおける音楽配信サーバであって、
前記音楽コンテンツと、この音楽コンテンツの曲名、アーティスト名とともに、音楽コンテンツにおける代表的な歌詞を抽出した歌詞キーワード情報、音楽コンテンツが発売された発売年度、音楽コンテンツが流行した流行年度、音楽コンテンツが使用されたメディア採用情報のうちの少なくとも一つを含む音楽コンテンツの検索用情報とを格納する音楽コンテンツデータベースと、
前記検索用情報に基づいて該当する音楽コンテンツの検索処理を行うコンテンツ検索処理部と、
前記コンテンツ検索処理部の検索結果に基づき、該当する音楽コンテンツを配信するコンテンツ配信処理部と、
を備えたことを特徴とする音楽配信サーバ。
【請求項４】
通信回線を介して音楽配信サーバにアクセスし、前記音楽配信サーバから音楽コンテンツを取得する音楽配信システムにおける端末装置であって、
前記音楽コンテンツの曲名、アーティスト名、音楽コンテンツにおける代表的な歌詞を抽出した歌詞キーワード情報、音楽コンテンツが発売された発売年度、音楽コンテンツが流行した流行年度、音楽コンテンツが使用されたメディア採用情報のうちの少なくとも一つを含む音楽コンテンツの検索用情報を入力するための検索画面を表示する表示部と、
前記検索用情報の入力及び検索実行操作を行う操作部と、
前記検索用情報の前記音楽配信サーバへの送信及び前記音楽配信サーバから配信される音楽コンテンツの受信を行う通信部と、
前記受信した音楽コンテンツの再生を行う再生部と、
を備えたことを特徴とする端末装置。
【発明の詳細な説明】
【０００１】
【発明の属する技術分野】
本発明は、通信回線を介して音楽コンテンツを配信する音楽配信システム、及びその音楽配信サーバ並びに端末装置に関する。
【０００２】
【従来の技術】
Ｗ−ＣＤＭＡやＰＨＳ（登録商標）などの無線通信方式による移動体通信システムを利用して、携帯電話機やＰＤＡ（携帯情報端末）等の携帯端末に音楽コンテンツ（音楽データ）を配信し、携帯端末で音楽を再生することができる音楽配信システムが提案され、普及しつつある。このような音楽配信システムにおいて、例えば利用者が所望の楽曲を聞きたい場合、音楽配信サーバに蓄積された音楽コンテンツを検索し、大量のコンテンツの中から目的のコンテンツを抽出して取得する必要がある。
【０００３】
従来、音楽コンテンツを検索する方法としては、例えばカラオケ装置において曲名やアーティスト名などの楽曲情報から検索するものが知られている（例えば、特許文献１、特許文献２参照）。
【０００４】
ここで、従来の音楽コンテンツの検索方法について、移動体通信システムを利用した音楽配信システムを例に説明する。携帯端末の使用者が音楽コンテンツの試聴や購入を行う場合、携帯端末の操作部を操作し、移動体通信網を介して、音楽配信サーバに接続する。サーバへの接続が完了すると、携帯端末の表示部に検索画面が表示されるので、使用者は所望の音楽コンテンツに関する曲名やアーティスト名などの基本的情報を、検索キーワードとしてキー操作等により入力する。音楽配信サーバは、携帯端末からの検索キーワードの入力を受けると、音楽コンテンツデータベースから検索キーワードに該当する音楽コンテンツを抽出し、検索結果を携帯端末に送る。これにより、携帯端末の表示部に検索結果が表示される。
【０００５】
利用者は、携帯端末の表示部の検索結果を見て、所望の音楽コンテンツがある場合は試聴、ダウンロードなどの操作を行い、無い場合は再検索、中止などの操作を行う。試聴操作がなされた場合は、音楽配信サーバと携帯端末との間で試聴のための音楽コンテンツのストリーミング再生処理が実行される。また、ダウンロード操作がなされた場合は、音楽配信サーバと携帯端末との間で音楽コンテンツの配信処理、及び購入の課金処理が実行される。一方、再検索操作がなされた場合は、前記と同様の検索処理が実行され、使用者は検索キーワードや検索条件を変更して再度検索を行う。
【０００６】
【特許文献１】
特開２０００−２１４８４９号公報
【特許文献２】
特開平１１−２６１９１４号公報
【０００７】
【発明が解決しようとする課題】
しかしながら、上記従来の音楽配信システムでは、音楽コンテンツを検索するとき、使用者が所望する音楽コンテンツに関する曲名やアーティスト名などの楽曲情報を入力する必要があり、曲名やアーティスト名が判らない場合は検索が行えないという問題があった。この検索ができない問題とは、検索キーワードが判らないため情報を何も入力できず、検索が行えないような場合は勿論、その他にも、例えば、アーティスト名だけが判って検索を行っても、当該アーティストに関する音楽コンテンツが多数登録されている場合、使用者が所望するコンテンツの絞り込みが困難であるような問題も含まれる。
【０００８】
ところで、所望の音楽コンテンツの曲名やアーティスト名などの楽曲情報を正確に覚えていないことはよくあり、そのような場合、使用者は一般に当該の曲の代表的な歌詞や、その曲が使用されたコマーシャルの商品名や会社名、その曲が使用されたテレビ番組名などを覚えていることが多い。
【０００９】
本発明は、上記課題を解決するためになされたもので、その目的は、音楽コンテンツの曲名やアーティスト名などの楽曲情報が判らない場合でも、音楽コンテンツに関連する他の情報を用いて所望の音楽コンテンツを容易に高い精度で検索することができる音楽配信システム、音楽配信サーバ及び端末装置を提供することにある。
【００１０】
【課題を解決するための手段】
本発明に係る音楽配信システムは、音楽配信サーバと、前記音楽配信サーバと通信回線を介して接続される端末装置とを有し、前記端末装置に音楽コンテンツの配信を行う音楽配信システムであって、前記音楽配信サーバは、前記音楽コンテンツと、この音楽コンテンツの曲名、アーティスト名、及び音楽コンテンツにおける代表的な歌詞を抽出した歌詞キーワード情報を含む音楽コンテンツの検索用情報とを格納する音楽コンテンツデータベースと、前記検索用情報に基づいて該当する音楽コンテンツの検索処理を行うコンテンツ検索処理部とを有し、前記端末装置は、前記検索用情報を入力するための表示部と操作部とを含んでなる検索用情報入力手段を有して構成されることを特徴とする。
【００１１】
この構成によれば、取得したい所望の音楽コンテンツを検索する場合に、曲名やアーティスト名などの基本的な楽曲情報がわからない場合でも、歌詞の一部などの歌詞キーワード情報を検索用情報として用いることにより、目的の音楽コンテンツを容易に高い精度で検索することができ、検索結果で得られた音楽コンテンツの試聴や購入が可能となる。
【００１２】
また、前記音楽配信サーバは、前記歌詞キーワード情報に加えて、当該音楽コンテンツが発売された発売年度、音楽コンテンツが流行した流行年度、音楽コンテンツが使用されたメディア採用情報のうちの少なくとも一つを含む検索用情報を音楽コンテンツデータベースに格納し、前記コンテンツ検索処理部において前記検索用情報の少なくともいずれか一つに基づいて該当する音楽コンテンツを抽出することを特徴とする。
【００１３】
この構成によれば、歌詞キーワード情報に加えて、音楽コンテンツが発売された発売年度、音楽コンテンツが流行した流行年度、音楽コンテンツが使用されたテレビコマーシャルの商品名や会社名、あるいはドラマなどのテレビ番組名などによるメディア採用情報などを検索用情報として用いることにより、使用者が所望する適切な音楽コンテンツをさらに容易に高い精度で抽出して得ることが可能となる。
【００１４】
本発明に係る音楽配信サーバは、通信回線を介して接続される端末装置に音楽コンテンツの配信を行う音楽配信システムにおける音楽配信サーバであって、前記音楽コンテンツと、この音楽コンテンツの曲名、アーティスト名とともに、音楽コンテンツにおける代表的な歌詞を抽出した歌詞キーワード情報、音楽コンテンツが発売された発売年度、音楽コンテンツが流行した流行年度、音楽コンテンツが使用されたメディア採用情報のうちの少なくとも一つを含む音楽コンテンツの検索用情報とを格納する音楽コンテンツデータベースと、前記検索用情報に基づいて該当する音楽コンテンツの検索処理を行うコンテンツ検索処理部と、前記コンテンツ検索処理部の検索結果に基づき、該当する音楽コンテンツを配信するコンテンツ配信処理部と、を備えたことを特徴とする。
【００１５】
この構成によれば、取得したい所望の音楽コンテンツを検索する場合に、曲名やアーティスト名などの基本的な楽曲情報がわからない場合でも、歌詞キーワード情報などの検索用情報を用いて、目的の音楽コンテンツを容易に高い精度で検索することができる音楽配信システムを構築可能となる。
【００１６】
本発明に係る端末装置は、通信回線を介して音楽配信サーバにアクセスし、前記音楽配信サーバから音楽コンテンツを取得する音楽配信システムにおける端末装置であって、前記音楽コンテンツの曲名、アーティスト名、音楽コンテンツにおける代表的な歌詞を抽出した歌詞キーワード情報、音楽コンテンツが発売された発売年度、音楽コンテンツが流行した流行年度、音楽コンテンツが使用されたメディア採用情報のうちの少なくとも一つを含む音楽コンテンツの検索用情報を入力するための検索画面を表示する表示部と、前記検索用情報の入力及び検索実行操作を行う操作部と、前記検索用情報の前記音楽配信サーバへの送信及び前記音楽配信サーバから配信される音楽コンテンツの受信を行う通信部と、前記受信した音楽コンテンツの再生を行う再生部と、を備えたことを特徴とする。
【００１７】
この構成によれば、取得したい所望の音楽コンテンツを検索する場合に、曲名やアーティスト名などの基本的な楽曲情報がわからない場合でも、歌詞キーワード情報などの検索用情報を入力することで、使用者が所望する適切な音楽コンテンツを容易に高い精度で抽出して得ることが可能となる。
【００１８】
【発明の実施の形態】
以下、図面を参照して本発明の実施形態を説明する。
図１は本発明の一実施形態に係る音楽配信システムの構成を示すブロック図である。本実施形態では、通信回線としてＰＨＳ（登録商標）方式の移動体通信システム（ＰＨＳ網）を利用した音楽配信システムの例について説明する。
【００１９】
音楽配信システムは、端末装置に相当する無線通信機能を有する携帯端末１、音楽コンテンツを蓄積し携帯端末１からの要求に応じて配信する音楽配信サーバ２と、これらの携帯端末１と音楽配信サーバ２とを接続するＰＨＳ網による無線通信網３とを有して構成される。
【００２０】
携帯端末１は、端末内の各種制御を行う中央演算装置（ＣＰＵ）等を有してなる制御部４、通信部として無線通信によりデータのやり取りを行う無線通信部５、使用者が操作入力を行う操作部６、液晶ディスプレイなどによる表示部７、制御部４が動作するためのプログラムや音楽配信サーバ２よりダウンロードした音楽コンテンツなどを記憶するメモリ８、再生動作時にメモリ８から記憶された音楽コンテンツの曲データを読み出し、復号化、デジタル−アナログ変換などの各種信号処理や信号増幅処理を行い、スピーカなどより音楽を再生出力する再生部９を備えて構成される。
【００２１】
また、音楽配信サーバ２は、音楽配信用のウェブページなどのページコンテンツを構築し、音楽コンテンツの検索処理等を行うコンテンツ検索処理部１０、音楽コンテンツの試聴時のストリーミング再生処理や携帯端末１へのダウンロード処理を行うコンテンツ配信処理部１１、携帯端末１との間で音楽コンテンツの配信に関する課金処理を行う課金情報処理部１２、音楽コンテンツの曲データや関連する検索用情報を格納し、管理、蓄積する音楽コンテンツデータベース１３を備えて構成される。
【００２２】
音楽コンテンツデータベース１３には、音楽コンテンツごとに、曲データ、曲名、アーティスト名、レコード会社名、ジャンル名、プロモーションビデオやジャケットなどの画像情報、歌詞などのテキスト情報が登録されている。また、音楽コンテンツの検索用情報として、音楽コンテンツの代表的な歌詞データを抽出した歌詞キーワード（イントロ部分やさびの部分などの歌詞に関するキーワード）を含む歌詞キーワード情報、音楽コンテンツの曲の発売年度や流行年度、曲が使用されたテレビコマーシャルの商品名や会社名、あるいは主題歌となったドラマなどのテレビ番組名などのメディア採用情報であるＣＭ／ＴＶ番組情報、などの各種データが登録されている。
【００２３】
図２は携帯端末１の外観構成及び表示部における動作表示例を示す構成説明図である。携帯端末筐体２１には、表示部７の表示画面２２が設けられ、この表示画面２２の下部に操作部６として４方向キーを用いた操作キー２３が設けられている。表示画面２２には、検索画面（検索モードの入力画面）として、曲名の入力欄３１、アーティスト名の入力欄３２、レコード会社名の入力欄３３、ジャンル名の入力欄３４、歌詞キーワードの入力欄３５、発売年度または流行年度の入力欄３６、曲が使用されたコマーシャルやテレビ番組名などの入力欄３７、検索実行ボタン３８などが表示される。この表示部７の表示画面２２に表示された検索画面と操作部６の操作キー２３などによって検索用情報入力手段が構成される。
【００２４】
次に本実施形態の音楽配信システムの動作について説明する。図３は本実施形態の音楽配信システムにおける音楽コンテンツ検索時の動作手順を示すフローチャートである。
【００２５】
携帯端末１を使用して音楽コンテンツの試聴や購入を行う場合、使用者は、初めに操作キー２３を操作して表示部７の表示画面２２に検索画面を表示させる（ステップＳ１０１）。この検索画面を表示するには、携帯端末１から無線通信網３を介して音楽配信サーバ２にアクセスして音楽配信サーバ２より画面情報を取得してもよいし、携帯端末１のメモリ８に画面情報の一部または全部を記憶しておいてもよい。
【００２６】
図２に示したような検索画面が表示されると、使用者は、所望する音楽コンテンツに関する既知の検索用情報である検索キーワードを、検索条件として入力する（ステップＳ１０２）。例えば、曲名やアーティスト名が予め判っている場合、使用者は、検索画面の曲名の入力欄３１及びアーティスト名の入力欄３２の両方またはいずれかに入力を行う。一方、所望の音楽コンテンツの曲名やアーティスト名がわからない場合、例えば、イントロ部分やさびの部分の歌詞を覚えているときは歌詞の一部を歌詞キーワードの入力欄３５に、また、使用者が流行した年度を覚えているときはその年度を発売／流行年度の入力欄３６に、また、その曲が使用されたテレビコマーシャルやテレビ番組を覚えているときはそのコマーシャルの商品名や会社名、番組名などをＣＭ／番組情報の入力欄３７に、それぞれテキストまたは数字で入力する。
【００２７】
なお、検索キーワードの入力は、例えば入力画面を表示して携帯端末１に設けられた４方向キーによる操作キー２３で行ってもよいし、操作部６としてキーボードなどがある場合はキーボードなどから文字や数字を直接入力してもよい。
【００２８】
所定の検索キーワードの入力が完了すると、使用者は検索画面の検索実行ボタン３８を押下操作する（ステップＳ１０３）。検索実行ボタン３８が押されると、検索実行命令が無線通信網３を介して音楽配信サーバ２のコンテンツ検索処理部１０に送信され、このコンテンツ検索処理部１０において検索実行命令に応じて検索処理を開始する（ステップＳ１０４）。
【００２９】
図４は、ステップＳ１０４における検索処理の手順を示したフローチャートである。検索処理が開始すると、初めに検索キーワードとしてどのようなデータが入力されたかの検索条件の確認が行われる（ステップＳ２０１）。
【００３０】
図５は、ステップＳ２０１における検索条件の確認処理の手順を示したフローチャートである。まず、検索キーワードとして曲名が入力されているかどうかが確認される（ステップＳ３０１）。曲名が入力されている場合、ステップＳ３０２に進み、その他の検索キーワードが入力されているかを確認する。その他の検索キーワードが入力されている場合はステップＳ３０３に進み、その他の検索キーワードが入力されていない場合は、曲名だけを検索条件として、図４のフローチャートにおけるＢで示す位置に進む。一方、ステップＳ３０１で曲名が入力されていない場合は、そのままステップＳ３０３に進む。
【００３１】
次に、検索キーワードとしてアーティスト名が入力されているかどうかが確認される（ステップＳ３０３）。アーティスト名が入力されている場合、ステップＳ３０４に進み、その他の検索キーワードが入力されているかを確認する。その他の検索キーワードが入力されている場合はステップＳ３０５に進み、その他の検索キーワードが入力されていない場合は、アーティスト名までの入力されたデータを検索条件として、図４のフローチャートにおけるＢで示す位置に進む。一方、ステップＳ３０３でアーティスト名が入力されていない場合は、そのままステップＳ３０５に進む。
【００３２】
次に、検索キーワードとしてレコード会社名が入力されているかどうかが確認される（ステップＳ３０５）。レコード会社名が入力されている場合、ステップＳ３０６に進み、その他の検索キーワードが入力されているかを確認する。その他の検索キーワードが入力されている場合はステップＳ３０７に進み、その他の検索キーワードが入力されていない場合は、レコード会社名までの入力されたデータを検索条件として、図４のフローチャートにおけるＢで示す位置に進む。一方、ステップＳ３０５でレコード会社名が入力されていない場合は、そのままステップＳ３０７に進む。
【００３３】
次に、検索キーワードとしてジャンル名が入力されているかどうかが確認される（ステップＳ３０７）。ジャンル名が入力されている場合、ステップＳ３０８に進み、その他の検索キーワードが入力されているかを確認する。その他の検索キーワードが入力されている場合はステップＳ３０９に進み、その他の検索キーワードが入力されていない場合は、ジャンル名までの入力されたデータを検索条件として、図４のフローチャートにおけるＢで示す位置に進む。一方、ステップＳ３０７でジャンル名が入力されていない場合は、そのままステップＳ３０９に進む。
【００３４】
次に、検索キーワードとして歌詞の一部のデータ（歌詞キーワード）が入力されているかどうかが確認される（ステップＳ３０９）。歌詞キーワードが入力されている場合、ステップＳ３１０に進み、その他の検索キーワードが入力されているかを確認する。その他の検索キーワードが入力されている場合はステップＳ３１１に進み、その他の検索キーワードが入力されていない場合は、歌詞キーワードまでの入力されたデータを検索条件として、図４のフローチャートにおけるＢで示す位置に進む。一方、ステップＳ３０９で歌詞キーワードが入力されていない場合は、そのままステップＳ３１１に進む。
【００３５】
次に、検索キーワードとして発売年度または流行年度が入力されているかどうかが確認される（ステップＳ３１１）。発売年度または流行年度が入力されている場合、ステップＳ３１２に進み、その他の検索キーワードが入力されているかを確認する。その他の検索キーワードが入力されている場合はステップＳ３１３に進み、その他の検索キーワードが入力されていない場合は、発売年度または流行年度までの入力されたデータを検索条件として、図４のフローチャートにおけるＢで示す位置に進む。一方、ステップＳ３１１で発売年度または流行年度が入力されていない場合は、そのままステップＳ３１３に進む。なお、入力する年度の数字は、発売年度であるか流行年度であるかが区別できるようにすることが好ましい。
【００３６】
次に、検索キーワードとしてテレビコマーシャルの商品名や会社名、またはドラマなどのテレビ番組名などのＣＭ／番組情報が入力されているかどうかが確認される（ステップＳ３１３）。ＣＭ／番組情報が入力されている場合、このＣＭ／番組情報までの入力されたデータを検索条件として、図４のフローチャートにおけるＢで示す位置に進む。一方、ステップＳ３１３でＣＭ／番組情報が入力されていない場合は、検索条件の確認処理を終了する。
【００３７】
図４のフローチャートに戻り、ステップＳ２０１の検索条件の確認が終了すると、確認された検索条件で検索が可能かどうかを判断する（ステップＳ２０２）。検索可能な場合はステップＳ２０３に進む。一方、例えば、検索条件が全く入力されずに検索実行ボタンが押された場合など、検索不可の場合は、図３のフローチャートにおけるＡの位置に戻り、再び検索条件の入力処理を行う。検索が可能な場合、入力された少なくとも１つ以上の検索キーワードに基づいて音楽コンテンツデータベース１３において音楽コンテンツの検索が実行される（ステップＳ２０３）。なお、少なくとも１つ以上の検索キーワードによる検索方法は公知の手法を用いてよく、例えば、アーティスト名とテレビ番組名など、複数の検索キーワードが入力されている場合は、論理積検索を実行する。以上で、一連の検索処理が終了する。
【００３８】
図３のフローチャートに戻り、検索処理（ステップＳ１０４）が完了すると、音楽配信サーバ２から検索結果が送信され、携帯端末１の表示画面２２に表示される（ステップＳ１０５）。検索条件によっては、検索結果として複数の音楽コンテンツのリストが表示されるので、使用者はリストの中から所望の音楽コンテンツを選択する。そして、使用者により音楽コンテンツが選択されたか否かによって所望の検索結果が得られたかを判断する（ステップＳ１０６）。ステップＳ１０６において、所望の音楽コンテンツが選択できた場合、検索を終了する。一方、ステップＳ１０６において所望の音楽コンテンツが選択されなかった場合は、再検索の操作入力などに基づき、再びステップＳ１０２に戻って検索条件の入力をやり直し、再度検索処理を行う。
【００３９】
所望の音楽コンテンツが選択できると、以降、携帯端末１と音楽配信サーバ２のコンテンツ配信処理部１１との間で、該当音楽コンテンツのストリーミング処理やダウンロード処理が可能となる。使用者により試聴操作がなされた場合は、コンテンツ配信処理部１１と携帯端末１とにおいて試聴のための音楽コンテンツのストリーミング再生処理が実行され、携帯端末１の再生部９より音楽コンテンツの再生がオンラインでなされる。また、使用者によりダウンロード操作がなされた場合は、コンテンツ配信処理部１１から携帯端末１へ音楽コンテンツの配信処理が実行され、携帯端末１のメモリ８に音楽コンテンツが転送される。さらにこのとき、試聴やダウンロードに伴って音楽コンテンツの購入が行われた場合には、音楽配信サーバ２の課金情報処理部１２と携帯端末１との間で課金情報のやり取りがなされ、課金処理が実行される。
【００４０】
このように、本実施形態の音楽配信システムでは、使用者が所望する音楽コンテンツの曲名及びアーティスト名がわからない場合でも、歌詞の一部を含む歌詞キーワードによる歌詞情報、発売年度または流行年度、使用されたコマーシャルの商品名や会社名、使用されたドラマなどのテレビ番組名などの楽曲採用情報など、音楽コンテンツに関連する情報を検索キーワードとして入力して検索することにより、所望の音楽コンテンツを容易に高い精度で検索し、試聴や購入をすることができる。このため、検索が不能であったり、検索に失敗する可能性を低減でき、より確実に目的の音楽コンテンツを取得できる。またこの場合、無駄な検索の手間や時間がかからないので、音楽配信サーバへの接続時間を短くでき、通信費を削減することが可能である。
【００４１】
なお、本発明は上述した実施形態に何ら限定されるものではなく、その要旨を逸脱しない範囲において種々の態様で実施し得るものである。上記実施形態では、通信回線としてＰＨＳ網を利用した音楽配信システムについて説明したが、これに限らず、Ｗ−ＣＤＭＡ方式などの他方式の移動体通信システムなど、種々の無線通信回線を利用してもよいし、あるいは、インターネットなどのネットワークやＩＳＤＮ網など、有線通信回線を利用した音楽配信システムであってもかまわない。また、携帯端末は、携帯電話機などの移動電話端末や通信機能を有するＰＤＡなど、種々の端末に適用可能である。
【００４２】
【発明の効果】
以上説明したように本発明によれば、音楽コンテンツの曲名やアーティスト名などの楽曲情報が判らない場合でも、音楽コンテンツに関連する他の情報を用いて所望の音楽コンテンツを容易に高い精度で検索することが可能な音楽配信システム、音楽配信サーバ及び端末装置を提供することができる。
【図面の簡単な説明】
【図１】本発明の一実施形態に係る音楽配信システムの構成を示すブロック図
【図２】本実施形態に係る携帯端末の外観構成及び表示部における動作表示例を示す構成説明図
【図３】本実施形態の音楽配信システムにおける音楽コンテンツ検索時の動作手順を示すフローチャート
【図４】本実施形態の音楽配信システムにおける検索処理の手順を示したフローチャート
【図５】本実施形態の音楽配信システムにおける検索条件の確認処理の手順を示したフローチャート
【符号の説明】
１　携帯端末
２　音楽配信サーバ
３　無線通信網
４　制御部
５　無線通信部
６　操作部
７　表示部
８　メモリ
９　再生部
１０　コンテンツ検索処理部
１１　コンテンツ配信処理部
１２　課金情報処理部
１３　音楽コンテンツデータベース
２１　携帯端末筐体
２２　表示画面
２３　操作キー
３１　曲名の入力欄
３２　アーティスト名の入力欄
３３　レコード会社名の入力欄
３４　ジャンル名の入力欄
３５　歌詞キーワードの入力欄
３６　発売／流行年度の入力欄
３７　ＣＭ／番組情報の入力欄
３８　検索実行ボタン
【図１】
2004138972.tif 000003
【図２】
2004138972.tif 000004
【図３】
2004138972.tif 000005
【図４】
2004138972.tif 000006
【図５】
2004138972.tif 000007